(57)【特許請求の範囲】
【請求項１】
一方および／または両方から熱風が吹付けられている加熱炉内に該熱風吹付け方向に交差して長尺合成樹脂成形物を加熱する加熱装置であって、該加熱炉には該長尺合成樹脂成形物を長手方向を軸として回転させる手段が付設されており、該熱風を遮蔽する非加熱部保護台車を該成形物の長手方向に沿って移動可能に配置し、該成形物の非加熱部に該台車を位置せしめて該成形物の非加熱部に熱風が当たらないようにしたことを特徴とする長尺合成樹脂成形物の加熱装置
【請求項２】
該台車は熱風吹付け側に遮壁を有している請求項１に記載の長尺合成樹脂成形物の加熱装置
【請求項３】
該台車は長尺合成樹脂成形物挿入側が開口している箱形であり、該台車内には該成形物の長手方向に直交しかつ長手方向で前後位置調節可能に位置決め棒が差渡されている請求項１または２に記載の長尺合成樹脂成形物の加熱装置
【請求項４】
該長尺合成樹脂成形物はパイプであり、該回転手段は加熱炉前後端外側の軸受けに軸支され駆動源によって回転せしめられる回転棒であり、該回転棒の少なくとも一方の軸受けは該回転棒から着脱可能とされ、該回転棒は該パイプ内に挿通され該パイプを懸架状態として該回転棒を回転させることによって該パイプを回転せしめる請求項１〜３に記載の長尺合成樹脂成形物の加熱装置
【発明の詳細な説明】
【０００１】
【発明の属する技術分野】
本発明は例えば合成樹脂パイプのような長尺合成樹脂成形物の加熱装置に関するものである。
【０００２】
【従来の技術】
従来、この種の合成樹脂パイプの加熱装置としては、例えば加熱炉の下部に加熱用バーナーを設置し、合成樹脂パイプを該加熱用バーナー上に水平に挿入し、該合成樹脂パイプの上下を樋状放熱金網で包囲した構成が提供されている（実公昭４８−１３６７０号）。
【０００３】
【発明が解決しようとする課題】
上記構成ではパイプの種々の長さに対応出来ず、またパイプの任意部分のみを加熱することが出来ない。
【０００４】
【課題を解決するための手段】
本発明は上記従来の課題を解決するための手段として、一方および／または両方から熱風が吹付けられている加熱炉１内に該熱風吹付け方向に交差して長尺合成樹脂成形物Ｐを加熱する加熱装置であって、該加熱炉１には該長尺合成樹脂成形物Ｐを長手方向を軸として回転させる手段が付設されており、該熱風を遮蔽する非加熱部保護台車７を該成形物Ｐの長手方向に沿って移動可能に配置し、該成形物Ｐの非加熱部に該台車７を位置せしめて該成形物Ｐの非加熱部に熱風が当たらないようにした長尺合成樹脂成形物Ｐの加熱装置を提供するものである。該台車７は熱風吹付け側に遮壁を有しており、更に該台車は長尺合成樹脂成形物Ｐ挿入側が開口している箱形であり、該台車７内には該成形物Ｐの長手方向に直交しかつ長手方向で前後位置調節可能に位置決め棒１５が差渡されていることが望ましい。また該長尺合成樹脂成形物Ｐはパイプであり、該回転手段は加熱炉１前後端外側の軸受け１９，２０に軸支され駆動源によって回転せしめられる回転棒１８であり、該回転棒１８の少なくとも一方の軸受け１９，２０は該回転棒１８から着脱可能とされ、該回転棒１８は該パイプＰ内に挿通され該パイプＰを懸架状態として該回転棒１８を回転させることによって該パイプＰを回転せしめることが望ましい。
【０００５】
【作用】
加熱炉１内の非加熱部保護台車７の位置を、長尺合成樹脂成形物Ｐの長さや非加熱部に対応して決定する。次いで該成形物Ｐを加熱炉１に挿入し、該成形物Ｐの非加熱部を該台車７で保護し、熱風を吹付けて該成形物Ｐを加熱する。該成形物Ｐの非加熱部は該台車７で保護されているから、該熱風は当たらず加熱されない。
【０００６】
【発明の実施の形態】
本発明を図１〜図５に示す一実施例によって説明すれば、加熱炉１の両側面には長手方向に沿って開口部２が設けられており、更に前面にも開口部３が設けられている。
該側面開口部２の前端部には点検用扉４が取付けられ、該点検用扉４の後側からは閉鎖パネル５の複数枚によって閉鎖されており、該閉鎖パネル５の下側は窓パネル５Ａとして上側部に開閉可能に蝶着されている。
該加熱炉１の該開口部２下縁内側には左右一対のレール６が敷設されており、該レール６上には非加熱部保護台車７の一個または複数個が前後に移動可能に乗架されている。
【０００７】
図３および図４に示すように、該台車７は上下後面を壁部８，９，１０に囲まれ、上壁部８が熱風を遮蔽する遮壁になっている。そして該台車７の両側開口部１１には横方向にガイド棒１２が差渡され、該ガイド棒１２には固定ピン１４によって固定されるスライダー１３がスライド可能に嵌着されており、該左右のスライダー１３下端には位置決め棒１５の両端が固定され、スライダー１３の上面からは指針１６が立設されている。
【０００８】
該台車７の後壁部１０には複数個の回転棒１８用の貫通孔１７が設けられている。
該台車７は閉鎖パネル５と等巾に設定されており、長尺合成樹脂成形物（合成樹脂パイプＰ）の長さあるいは該パイプＰの被加熱部の位置に対応してレール６上を前後に移動させることによって加熱炉１内の所定の位置にセットされ、この位置の両側開口部２の閉鎖パネル５は取外す。
【０００９】
該加熱炉１には長手方向に沿って一本または複数本の回転棒１８が挿通され、該回転棒１８は該台車７の後壁部１０の貫通孔１７を貫通し、該加熱炉１前後端の外側において支持台２１および支持棒３０上の軸受け１９，２０によってそれぞれ軸支されている。
該回転棒１８の後端部には該軸受け１９の後側においてプーリー２２，２３、ベルト４４を介してモーター２５にが接続されており、図５に示すように回転棒１８の前端を軸支する軸受け２０は加熱炉１前面開口部３の下側から差出されているガイド棒２６のスライド凹部２７に根端部２９をスライド可能かつ左右回動可能に嵌着した支持棒３０上端に取付けられており、該支持棒３０はスプリング３１Ａによってスライド凹部２７の後端側に付勢されており、該支持棒３０が該スライド凹部２７の後端に位置する時該支持棒３０はスライド凹部２７の後端から立設されている円弧抱止片３１に抱止されて垂直状態に固定されている。
【００１０】
上記加熱炉１の上側には熱風吹付けダクト３２が連絡し、下側には排気ダクト３３が連絡し、該熱風吹付けダクト３２と該排気ダクト３３とは送風機３４およびバーナー式加熱機３５が介在する熱風循環径路３６によって連絡されている。そして該熱風吹付けダクト３２には熱風温度をモニターする温度センサー３７が挿着されており、該加熱機３５のバーナーのＯＮ−ＯＦＦは該温度センサー３７によって制御される。なお、該加熱炉１の前面開口部３の上側には図５に示すようにのれん状の耐熱布３８が被覆され、下側にも一枚物の耐熱布３９が被覆されている。
【００１１】
上記加熱炉１において、例えば合成樹脂パイプＰのような長尺合成樹脂成形物を加熱する場合、該回転棒１８の前端を軸支する軸受け２０の支持棒３０を、図５に示すように前方に引張って抱止片３１から離し、右方（または左方）に回動して傾斜させ回転棒１８からはずす。
【００１２】
更に所定位置にセットされた台車７のスライダー１３をガイド棒１２に沿ってスライドさせ、指針１６によってパイプＰの長さに対応して位置決め棒１５でパイプＰ端末位置を後調節し、固定ピン１４で該スライダー１３を固定する。
【００１３】
このように準備しておいてパイプＰを該回転棒１８の前端から外挿し、該パイプＰの端末が該台車７の位置決め棒１５に当接させる。かくしてパイプＰを所定長加熱炉１内に挿入することが出来る。該パイプＰを挿入後は該回転棒１８の支持棒３０を再び垂直状態としてスライド凹部２７後端に戻し、軸受け２０によって該回転棒１８の前端を軸支する。そしてモーター２５によって回転棒１８を回転させ、更に該回転棒１８に懸架されているパイプＰを回転させる。
【００１４】
熱風は加熱炉１内に上方のダクト３２を介して送風機３４によって吹付けられ、パイプＰを加熱するが、該パイプＰの先端部分は台車７の上壁部８によって熱風が遮断されるので加熱されず、図３に示すＬの部分のみが加熱される。
パイプＰを加熱した熱風はダクト３３から排出され、送風機３４によって循環径路３６を介してダクト３２に循環せしめられるが、その間加熱機３５によって加熱される。熱風の温度は温度センサー３７によってモニターされ、もし熱風が所定温度以上に上昇した場合にはバーナーはＯＦＦされる。
【００１５】
パイプＰのＬの部分が加熱され軟化したら、再び回転棒１８の前端の軸受け２０をはずし、パイプＰを該回転棒１８から抜き出す。このように部分的に加熱されたパイプＰの加熱部分には曲げ加工が施されたり、あるいはブロー成形が施される。
【００１６】
本発明ではパイプ以外棒状成形物等長尺合成樹脂成形物の任意部分を加熱することも可能である。
【００１７】
【発明の効果】
本発明では長尺合成樹脂成形物の種々の長さに対応出来、任意の部分に選択的に加熱を行なうことが出来る。
【図面の簡単な説明】
図１〜図５は本発明の一実施例を示すものである。
【図１】側面説明図
【図２】前面部分斜視図
【図３】パイプＰの保護状態説明図
【図４】非加熱部保護台車側断面図
【図５】加熱炉前面部分斜視図
【符号の説明】
１            加熱炉
２，３        開口部（加熱炉）
７            台車
８            壁部（遮壁）
１５          位置決め棒
１８          回転棒
１９，２０    軸受け
２５          モーター（駆動源）
３０          支持棒
Ｐ            成形物
【図１】
0003673164.tif 000002
【図２】
0003673164.tif 000003
【図３】
0003673164.tif 000004
【図４】
0003673164.tif 000005
【図５】
0003673164.tif 000006